(57)【要約】携帯電話通信と無線ＬＡＮ通信で通話できる携帯電話機１において、電話帳用メモリ１２は電話番号とＳＩＰアドレスを格納する。短縮ダイヤル用メモリ１３は短縮ダイヤルを設定する所定キーを表すメモリ番号と、電話番号又はＳＩＰアドレスと、発呼に用いる通信手段を指定するベアラ情報とを対応付けて格納する。短縮ダイヤルが設定されたキーがユーザによって押下されると、ＣＰＵ１１は押下されたキーに対応付けられた電話番号又はＳＩＰアドレスとベアラ情報とを取得する。ＣＰＵ１１は、取得したベアラ情報が示す通信手段を用いて、取得した電話番号又はＳＩＰアドレスに、携帯電話送受信部１４と無線ＬＡＮ送受信部１５を制御して発呼する。
2008038489.tif 000002
【特許請求の範囲】
【請求項１】
複数の通信手段を有する通信装置であって、
発信先を指定する発信先情報と、前記複数の通信手段のうち当該発信先に発信するために用いる通信手段を指定するベアラ情報と、を対応付けて記憶する記憶部と、
当該発信先情報の入力をユーザから受け付ける発信先入力受付部と、
前記発信先入力受付部が受け付けた発信先情報に対応する当該ベアラ情報が前記記憶部に記憶されている場合、前記受け付けた送信先に対応する当該ベアラ情報を前記記憶部から取得し、前記取得した発信先情報が示す発信先に、前記複数の通信手段のうち前記取得したベアラ情報が示す通信手段を用いて発呼する発呼部と、
を備えることを特徴とする通信装置。
【請求項２】
前記記憶部は、当該発信先情報と当該ベアラ情報を、前記通信装置が有する所定の操作キーを示す情報に対応付けて更に記憶し、
前記発呼部は、当該所定の操作キーがユーザによって押下された場合、前記押下された操作キーを示す情報に対応する当該発信先情報と当該ベアラ情報を前記記憶部から取得し、前記取得した発信先情報が示す発信先に、前記取得したベアラ情報が示す通信手段を用いて発呼する、
ことを特徴とする請求項１に記載の通信装置。
【請求項３】
前記複数の通信手段のうち優先して使用する通信手段を指定する入力を当該ユーザから受け付ける優先入力受付部を更に備え、
前記発呼部は、前記取得した送信先が示す発信先に、前記優先入力受付部が受け付けた入力が示す通信手段を用いて発呼する、
ことを特徴とする請求項１又は２に記載の通信装置。
【請求項４】
前記複数の通信手段のそれぞれについて、通信に用いる電波の強度に基づいて前記通信手段が使用可能か否かを判別する判別部を更に備え、
前記発呼部は、前記優先入力受付部が受け付けた入力が示す通信手段が、前記判別部により使用可能でないと判別された場合、前記判別部により使用可能と判別された他の通信手段を用いて発呼する、
ことを特徴とする請求項３に記載の通信装置。
【請求項５】
前記複数の通信手段には、少なくとも携帯電話を用いた通信手段が含まれ、
当該発信先情報には、電話番号が含まれる、
ことを特徴とする請求項１乃至４のいずれか１項に記載の通信装置。
【請求項６】
前記複数の通信手段には、少なくとも無線ＬＡＮ（Local Area Network）を用いた通信手段が含まれ、
当該発信先情報には、ＳＩＰ（Session Initiation Protocol）アドレスが含まれる、
ことを特徴とする請求項１乃至５のいずれか１項に記載の通信装置。
【請求項７】
前記ＳＩＰアドレスには、ユーザ名を指定するデータ部分と、ドメイン名を指定するデータ部分とが含まれ、
前記発信先入力受付部は、当該ＳＩＰアドレスの入力を当該ユーザから受け付け、
前記発信先入力受付部が受け付けた当該ＳＩＰアドレスに、当該ドメイン名を指定するデータ部分が含まれていない場合、所定のドメイン名で補完して当該ＳＩＰアドレスを生成する生成部を更に備え、
前記発呼部は、前記生成部により生成された当該ＳＩＰアドレスが示す発信先に、前記取得したベアラ情報が示す通信手段を用いて発呼する、
ことを特徴とする請求項６に記載の通信装置。
【請求項８】
当該発信先情報と、当該ベアラ情報と、当該所定の操作キーを指定する情報との入力をユーザから受け付ける登録入力受付部と、
前記登録入力受付部が受け付けた当該送信先情報と当該ベアラ情報と当該所定の操作キーを指定する情報とを対応付けて前記記憶部に記憶させる登録部と、
を更に備えることを特徴とする請求項１乃至７のいずれか１項に記載の通信装置。
【請求項９】
発信先を指定する発信先情報と、前記複数の通信手段のうち当該発信先に発信するために用いる通信手段を指定するベアラ情報と、を対応付けて記憶し、
当該発信先情報の入力をユーザから受け付け、
前記受け付けた発信先情報に対応する当該ベアラ情報が記憶されている場合、前記受け付けた送信先に対応する当該ベアラ情報を取得し、前記取得した発信先情報が示す発信先に、前記取得したベアラ情報が示す通信手段を用いて発呼する、
ことを特徴とする通信方法。
【請求項１０】
複数の通信手段を有するコンピュータを、
発信先を指定する発信先情報と、前記複数の通信手段のうち当該発信先に発信するために用いる通信手段を指定するベアラ情報と、を対応付けて記憶する記憶部、
当該発信先情報の入力をユーザから受け付ける発信先入力受付部、
前記発信先入力受付部が受け付けた発信先情報に対応する当該ベアラ情報が前記記憶部に記憶されている場合、前記受け付けた送信先に対応する当該ベアラ情報を前記記憶部から取得し、前記取得した発信先情報が示す発信先に、前記複数の通信手段のうち前記取得したベアラ情報が示す通信手段を用いて発呼する発呼部、
として機能させるプログラムを記憶することを特徴とするコンピュータ読み取り可能な情報記録媒体。
【発明の詳細な説明】
【技術分野】
【０００１】
本発明は、通話相手によって通信手段を簡単に使い分けるために好適な通信装置、通信方法、並びに、情報記録媒体に関する。
【背景技術】
【０００２】
携帯電話装置には、複数の通信手段（ベアラ）を備え、ユーザがどちらかを適宜選択できるものがある。例えば、特許文献１に開示されるように、携帯電話通信を使った音声電話と、無線ＬＡＮ通信を使ったＶｏＩＰ電話との２つの通信手段を備えるものがある。【０００３】
ユーザは、携帯電話通信用の電話番号と、無線ＬＡＮ通信用のＳＩＰ（Session Initiation Protocol）アドレスとを電話帳に別々に登録する。そして、携帯電話装置は、携帯電話通信機能を使って発呼する場合には電話番号を用い、無線ＬＡＮ通信機能を使って発呼する場合にはＳＩＰアドレスを用いる。【０００４】
【特許文献１】特開２００５−２３６７６９号公報
【発明の開示】
【発明が解決しようとする課題】
【０００５】
特許文献１の携帯電話装置によれば、ユーザは、発呼に用いるベアラと、発信先となる電話番号又はＳＩＰアドレスをそれぞれ指定する必要がある。しかしながら、特許文献１の携帯電話装置は、現在設定されたベアラ、又は現在位置において接続状態が最も安定しているベアラ、又は通信料金が最も安価なベアラを選択して発呼するため、ユーザは、通話相手によってベアラを使い分けたい場合には発呼のたびに通信モードを変更しなければならず面倒であった。【０００６】
例えば、通話の頻度が高い相手に簡単に電話をかけられるように、相手の電話番号やＳＩＰアドレスを短縮ダイヤルに予め登録しておいても、現在設定されているベアラと違うベアラで発呼したい場合、一時的に通信モードを変更し、その後に発呼しなければならず、結果的に簡単に発呼できないという問題があった。【０００７】
そこで、本発明の目的は、上記の問題点を解消し、通話相手によって通信手段を簡単に使い分けることができる通信装置、通信方法、並びに、情報記録媒体を提供することにある。
【課題を解決するための手段】
【０００８】
本発明に係る通信装置は、複数の通信手段を有する通信装置であって、
発信先を指定する発信先情報と、前記複数の通信手段のうち当該発信先に発信するために用いる通信手段を指定するベアラ情報と、を対応付けて記憶する記憶部と、
当該発信先情報の入力をユーザから受け付ける発信先入力受付部と、
前記発信先入力受付部が受け付けた発信先情報に対応する当該ベアラ情報が前記記憶部に記憶されている場合、前記受け付けた送信先に対応する当該ベアラ情報を前記記憶部から取得し、前記取得した発信先情報が示す発信先に、前記複数の通信手段のうち前記取得したベアラ情報が示す通信手段を用いて発呼する発呼部と、を備える。
本発明に係る通信方法は、
発信先を指定する発信先情報と、前記複数の通信手段のうち当該発信先に発信するために用いる通信手段を指定するベアラ情報と、を対応付けて記憶し、
当該発信先情報の入力をユーザから受け付け、
前記受け付けた発信先情報に対応する当該ベアラ情報が記憶されている場合、前記受け付けた送信先に対応する当該ベアラ情報を取得し、前記取得した発信先情報が示す発信先に、前記取得したベアラ情報が示す通信手段を用いて発呼する。
本発明に係る情報記録媒体は、複数の通信手段を有するコンピュータを、
発信先を指定する発信先情報と、前記複数の通信手段のうち当該発信先に発信するために用いる通信手段を指定するベアラ情報と、を対応付けて記憶する記憶部、
当該発信先情報の入力をユーザから受け付ける発信先入力受付部、
前記発信先入力受付部が受け付けた発信先情報に対応する当該ベアラ情報が前記記憶部に記憶されている場合、前記受け付けた送信先に対応する当該ベアラ情報を前記記憶部から取得し、前記取得した発信先情報が示す発信先に、前記複数の通信手段のうち前記取得したベアラ情報が示す通信手段を用いて発呼する発呼部、として機能させる。
【発明の効果】
【０００９】
本発明は、上記のような構成とすることで、通話相手によって通信手段を簡単に使い分けることができるという効果が得られる。
【図面の簡単な説明】
【００１０】
【図１】本発明の一実施形態による携帯電話機の構成を示すブロック図である。
【図２】電話帳リストと、電話帳データと、短縮ダイヤル選択情報との構成例を示す図である。
【図３】電話帳登録処理を示すフローチャートである。
【図４】発呼処理を示すフローチャートである。
【図５】表示部への表示例を示す図である。
【図６】ベアラテーブルの構成例を示す図である。
【符号の説明】
【００１１】
１  携帯電話機
１１  ＣＰＵ
１２  電話帳用メモリ
１３  短縮ダイヤル用メモリ
１４  携帯電話送受信部
１５  無線ＬＡＮ送受信部
１６  音声出力部
１７  音声入力部
１８  ＲＯＭ
１９  作業用メモリ
２０  キー入力部
２１  操作キー
２２  表示制御部
２３  表示部
１０１  電話帳リスト
１０２  電話帳データ
１０３  短縮ダイヤル選択情報
２０１  電話帳登録画面
２０２  メモリ番号入力画面
２０３  短縮ダイヤルベアラ選択画面
２０４  短縮ダイヤル番号選択画面
２５０  ベアラテーブル
【発明を実施するための最良の形態】
【００１２】
次に、本発明の実施形態について図面を参照して説明する。図１は本発明の一実施形態の通信装置の構成を示すブロック図である。本実施形態では、通信装置として携帯電話機を採用する。【００１３】
携帯電話機１は、ＣＰＵ（Central Processing Unit）１１と、電話帳用メモリ１２と、短縮ダイヤル用メモリ１３と、携帯電話送受信部１４と、無線ＬＡＮ（Local Area Network）送受信部１５と、音声出力部１６と、音声入力部１７と、ＲＯＭ（Read Only Memory）１８と、作業用メモリ１９と、キー入力部２０と、操作キー２１と、表示制御部２２と、表示部２３とを備える。【００１４】
ＣＰＵ１１は、携帯電話機１内の各部と接続されている。ＲＯＭ１８は、ＣＰＵ１１が実行するための各種の制御用プログラムや、文字変換等に使用される辞書等のデータを予め格納している。作業用メモリ１９は、ＲＡＭ（Random Access Memory）によって構成されており、ＣＰＵ１１がプログラムを実行する上で一時的に必要とされるデータを格納する。【００１５】
電話帳メモリ１２は、例えば、氏名、電話番号、ＳＩＰアドレス、電子メールアドレスなどを対応付けて記憶する。電話帳用メモリ１２は、不揮発性メモリで構成されている。短縮ダイヤル用メモリ１３は、短縮ダイヤルが登録されたボタンがユーザにより押下されたときに、どちらの通信手段（ベアラ）で発呼するかを示す情報と、電話番号とＳＩＰアドレスのうちどちらを使用して発呼するのかを示す情報と、を記憶する。短縮ダイヤル用メモリ１３は、不揮発メモリで構成されている。【００１６】
ここで、短縮ダイヤル機能とは、ユーザが所望の電話番号等を所定のキーに対応付けて携帯電話機１に登録しておき、発呼のたびに通話相手の電話番号等を入力しなくても、予め登録されたキーを押下することによって簡単に発呼できる機能のことである。例えば、ユーザは、いわゆる“ツータッチダイヤル”で発呼することもできる。ツータッチダイヤルとは、２回のキー操作のみで簡単に発呼する機能のことであり、短縮ダイヤルの一形態である。つまり、通話相手の電話番号等を対応付けたキーと、発呼キーとを押下するだけで、通話相手に発呼できる。なお、以下の説明では、短縮ダイヤルとしてツータッチダイヤルを採用するが、本発明はツータッチダイヤルに限定されない。例えば、短縮ダイヤルキーと発呼キーの両方の機能を備えた１つのキーを１回押下するだけで発呼できるワンタッチダイヤルでもよい。【００１７】
本実施形態では、テンキーと対応付けて所望の電話番号等を登録するため、携帯電話機１は０番から９番までのメモリ番号に対応付けて短縮ダイヤルを登録できる。ただし、その他のキーがあれば、１０番以降のメモリ番号に対応付けて短縮ダイヤルを登録してもよい。また、テンキーの代わりに、その他の所定のキーやボタン等を用いることもできる。【００１８】
つまり、電話帳用メモリ１２は、発信先を指定する発信先情報（例えば電話番号やＳＩＰアドレス等）と、複数の通信手段（例えば携帯電話通信や無線ＬＡＮ通信等）のうち発信先に発信するために用いる通信手段を指定するベアラ情報と、を対応付けて記憶する記憶部として機能する。
また、短縮ダイヤル用メモリ１３は、発信先情報とベアラ情報を、携帯電話機１が有する所定の操作キー２１を示す情報（例えばメモリ番号）に対応付けて記憶する記憶部として機能する。【００１９】
キー入力部２０は、操作キー２１からのキー入力を受け付ける入力回路である。操作キー２１は、例えばテンキー、通話開始キー（発呼キー）、終話キー、カーソルキー、電源キー等で構成されている。表示制御部２２は、表示部２３を制御する制御回路である。表示部２３は、白黒あるいはカラーの液晶パネルあるいは有機ＥＬ（electro-luminescence）ディスプレイ等の表示装置を備える。表示装置は携帯電話機１の前面に配置される。ユーザは表示装置に表示された様々な静止画像や動画像を見ることができる。【００２０】
つまり、キー入力部２０は、発信先情報の入力をユーザから受け付ける発信先入力受付部として機能する。【００２１】
携帯電話送受信部１４は、ＣＰＵ１１の制御により、無線によって音声電話の音声信号や電子メールのデータなどを送受信する回路である。無線ＬＡＮ送受信部１５は、ＣＰＵ１１の制御により、無線ＬＡＮによってＶｏＩＰ（Voice over Internet Protocol）電話や電子メールのデータなどを送受信する回路である。音声出力部１６は、ＣＰＵ１１の制御により、携帯電話送受信部１４もしくは無線ＬＡＮ送受信部１５で受信したデジタル音声信号が示す音声データ等をデコードし、Ｄ／Ａ（Digital/Analog）コンバータによりアナログ信号に変換し、音声をスピーカに出力する。音声入力部１７は、マイクロフォンによって携帯電話機１のユーザの通話音声等を集音し、ＣＰＵ１１の制御により、Ａ／Ｄ（Analog/Digital）コンバータで音声をデジタル信号に変換する。【００２２】
ＣＰＵ１１と携帯電話送受信部１４と無線ＬＡＮ通信部１５が協働して、発呼部として機能する。つまり、ＣＰＵ１１は、キー入力部２０が受け付けた発信先情報に対応するベアラ情報が電話帳用メモリ１２に記憶されている場合、受け付けた送信先に対応するベアラ情報を電話帳用メモリ１２から取得する。そして、ＣＰＵ１１は、取得した発信先情報が示す発信先に、携帯電話送受信部１４と無線ＬＡＮ通信部１５のうち取得したベアラ情報が示す方を制御して発呼する。
また、ＣＰＵ１１は、所定の操作キー２１がユーザによって押下された場合、押下された操作キー２１を示す情報（例えばメモリ番号）に対応する発信先情報とベアラ情報を短縮ダイヤル用メモリ１３から取得する。そして、ＣＰＵ１１は、取得した発信先情報が示す発信先に、携帯電話送受信部１４と無線ＬＡＮ通信部１５のうち取得したベアラ情報が示す方を制御して発呼する。【００２３】
本実施形態の携帯電話機１は、携帯電話送受信部１４による携帯電話通信と、無線ＬＡＮ送受信部による無線ＬＡＮ通信とで通信することができる。携帯電話機１は、４つの通信モードを備える。すなわち、
（モード１）無線ＬＡＮ通信を優先するモード（デュアル動作）、
（モード２）携帯電話通信を優先するモード（デュアル動作）、
（モード３）無線ＬＡＮ通信のみを用いるモード（シングル動作）、
（モード４）携帯電話通信のみを用いるモード（シングル動作）、
の４つのモードを備える。ユーザは、携帯電話１を所望の通信モードに設定できる。一方の通信手段（ベアラ）を優先するモード（モード１とモード２）が選択されている場合、ＣＰＵ１１は、デフォルトでは、携帯電話送受信部１４又は無線ＬＡＮ送受信部１５を制御して、優先するベアラで発信する。ただし、ユーザによるメニュー操作等により非優先のベアラで発信することもできる。【００２４】
つまり、キー入力部２０は、携帯電話通信と無線ＬＡＮ通信のうち優先して使用する方の通信手段を指定する入力をユーザから受け付ける優先入力受付部として機能する。そして、ＣＰＵ１１は、携帯電話送受信部１４と無線ＬＡＮ通信部１５のうち受け付けた入力が示す方の通信手段を制御して発呼する。【００２５】
また、携帯電話機１は、自動発呼ベアラ選択機能を備える。すなわち、ＣＰＵ１１は、通信モードがモード１とモード２のどちらかの場合、デフォルトでは優先するベアラで発信するが、優先するベアラが通信エリア圏外で且つ非優先ベアラが通信エリア圏内の場合、自動的に非優先ベアラを選択して発信する。【００２６】
例えば、ＣＰＵ１１は、携帯電話送受信部１４と無線ＬＡＮ送受信部１５が備えるアンテナで受信した電波強度が所定値以上であれば、現在位置が通信エリア圏内であると判別し、所定値未満であれば、現在位置が通信エリア圏外であると判別する。あるいは、携帯電話機１がＧＰＳ（Global Positioning System）と、通信エリアを定義するエリア情報を記憶するメモリを更に備え、ＣＰＵ１１は、ＧＰＳにより取得した現在位置が、メモリに予め格納されたエリア情報が示す通信エリアに含まれるか否かを判別することによって、通信エリア圏内か否かを判別してもよい。【００２７】
つまり、ＣＰＵ１１は、通信手段のそれぞれについて、通信に用いる電波の強度に基づいて通信手段が使用可能か否かを判別する判別部として機能する。そして、ＣＰＵ１１は、キー入力部２０が受け付けた入力が示す通信手段が使用可能でないと判別された場合、使用可能と判別された他の通信手段を用いて発呼する。【００２８】
図２は、電話帳リスト１０１、電話帳用メモリ１２に記憶される電話帳データ１０２、短縮ダイヤル用メモリ１３に記憶される短縮ダイヤル選択情報１０３、の構成例を示す図である。電話帳データ１０２は、名前、読み仮名、グループ名、携帯電話通信で使用する電話番号、無線ＬＡＮ通信で使用するＳＩＰアドレス、電子メールアドレス、ユーザが自由に書き込めるメモ、メモリ番号を対応付けて記憶する。この例では、電話番号、ＳＩＰアドレス、電子メールアドレスはそれぞれ１つずつ登録するものとしているが、複数個登録できてもかまわない。その場合、短縮ダイヤルで使用する電話番号やＳＩＰアドレスは、例えば１番目に登録されたものを使用すればよい。【００２９】
電話帳リスト１０１は、メモリ番号（「１」〜「Ｎ」）と、内容（「電話帳データ０００」〜「電話帳データＮ」）とから構成されている。電話帳データ０００〜電話帳データＮは、それぞれ項番と内容とから構成されている。例えば、本図では、電話帳データ１０２の項番「０」の内容を「名前」、項番「１」の内容を「読み仮名」、項番「２」の内容を「グループ名」、項番「３」の内容を「電話番号」、項番「４」の内容を「ＳＩＰアドレス」、項番「５」の内容を「メールアドレス」、項番「６」の内容を「メモ」、項番「７」の内容を「メモリ番号」としている。【００３０】
電話帳リスト１０１のメモリ番号「０」〜「９」には、それぞれ短縮ダイヤル選択情報１０３が割り当てられている。短縮ダイヤル選択情報１０３において、メモリ番号「０」には番号選択情報として「ベアラ００」及び「番号００」が割り当てられている。同様に、メモリ番号「１」には番号選択情報として「ベアラ０１」及び「番号０１」が、・・・、メモリ番号「８」には番号選択情報として「ベアラ０８」及び「番号０８」が、メモリ番号「９」には番号選択情報として「ベアラ０９」及び「番号０９」がそれぞれ割り当てられている。【００３１】
ＳＩＰアドレスは、ユーザ名を示すデータ部分と、ドメイン名を示すデータ部分とで構成されている。典型的には、ＳＩＰアドレスは、“ユーザ名＠ドメイン名”で表される。【００３２】
短縮ダイヤル選択情報１０３は、メモリ番号に対応付けて番号選択情報を格納する。番号選択情報は、通信手段を指定するベアラ情報と、短縮ダイヤルに用いる発信先の電話番号又はＳＩＰアドレスを示す発信先情報と、を含む。【００３３】
図２は、電話帳リスト１０１、電話帳データ１０２、短縮ダイヤル選択情報１０３の構成例の一つであり、本発明の趣旨を逸脱しない範囲内で変更した実施形態を採用することができる。【００３４】
本実施形態では、ユーザはドメイン名の入力を省略することができる。入力を省略した場合、ＣＰＵ１１は、予め設定されたドメイン名を補完してＳＩＰアドレスを生成する。【００３５】
つまり、ＣＰＵ１１は、キー入力部２０が受け付けたＳＩＰアドレスに、ドメイン名を指定するデータ部分が含まれていない場合、所定のドメイン名で補完してＳＩＰアドレスを生成する生成部として機能する。そして、ＣＰＵ１１は、生成したＳＩＰアドレスが示す発信先に、携帯電話送受信部１４又は無線ＬＡＮ送受信部１５を制御して発呼する。【００３６】
上述の携帯電話送受信部１４や無線ＬＡＮ送受信部１５の一般的な構成は、当業者にとってよく知られており、その詳細な説明は省略する。【００３７】
次に、携帯電話機１の各部が協働して行う電話帳登録処理と発呼処理について説明する。
図３は、本発明の一実施形態の電話帳登録処理を示すフローチャートである。図４は、本発明の一実施形態の発呼処理を示すフローチャートである。【００３８】
図５は、表示部２３への表示例を示す図である。本図に示すように、表示制御部２２は、表示部２３に、電話帳登録画面２０１、メモリ番号入力画面２０２、短縮ダイヤルベアラ選択画面２０３、短縮ダイヤル番号選択画面２０４を表示させる。ＣＰＵ１１は、表示制御部２２を制御して、処理のステップに応じてこれらの画面を切り換えて表示させる。【００３９】
図６は、自動発呼ベアラ選択の判断基準となるベアラテーブル２５０の構成例を示す図である。通信モードには、上記のように、携帯電話通信を優先するモード、無線ＬＡＮ通信を優先するモード、携帯電話のみを用いるモード、無線ＬＡＮのみを用いるモード、の４つのモードがある。本図に示すように、通信モードが携帯電話通信を優先するモード（モード１）の場合には、ＣＰＵ１１は次に示すようにベアラを選択する。すなわち、携帯電話機１が携帯電話通信圏内かつ無線ＬＡＮ圏内にあれば、ＣＰＵ１１は携帯電話通信を選択する。携帯電話機１が携帯電話通信圏外かつ無線ＬＡＮ圏内にあれば、ＣＰＵ１１は無線ＬＡＮ通信を選択する。携帯電話機１が携帯電話通信圏内かつ無線ＬＡＮ圏外にあれば、ＣＰＵ１１は携帯電話通信を選択する。携帯電話機１が携帯電話通信圏外かつ無線ＬＡＮ圏外にあれば、ＣＰＵ１１は携帯電話通信を選択する。【００４０】
また、通信モードが無線ＬＡＮ通信を優先するモード（モード２）の場合には、ＣＰＵ１１は次に示すようにベアラを選択する。すなわち、携帯電話機１が携帯電話通信圏内かつ無線ＬＡＮ圏内にあれば、ＣＰＵ１１は無線ＬＡＮ通信を選択する。携帯電話機１が携帯電話通信圏外かつ無線ＬＡＮ圏内にあれば、ＣＰＵ１１は無線ＬＡＮ通信を選択する。携帯電話機１が携帯電話通信圏内かつ無線ＬＡＮ圏外にあれば、ＣＰＵ１１は携帯電話通信を選択する。携帯電話機１が携帯電話通信圏外かつ無線ＬＡＮ圏外にあれば、ＣＰＵ１１は無線ＬＡＮ通信を選択する。【００４１】
さらに、通信モードが携帯電話通信のみを用いるモード（モード３）の場合には、ＣＰＵ１１はいずれの状態でも携帯電話通信を選択する。【００４２】
そして、通信モードが無線ＬＡＮ通信のみを用いるモード（モード４）の場合には、ＣＰＵ１１はいずれの状態でも無線ＬＡＮ通信を選択する。【００４３】
尚、図３の電話帳登録処理及び図４の発呼処理は、ＣＰＵ１１がＲＯＭ１８の制御用プログラムを実行することで実現される。【００４４】
（電話帳登録処理）
まず、図３を参照して電話帳登録処理について説明する。この処理は、例えばユーザが携帯電話機１を用いてメインメニュー等から電話帳の登録を行う時に行われる。まず、ＣＰＵ１１は、表示制御部２２に電話帳登録画面２０１を表示させ、いずれかの項目を選択する指示入力をユーザから受け付ける。（ステップＳ１）。ユーザは操作キー２１を使っていずれかの項目を選択する。【００４５】
ＣＰＵ１１は、電話帳への登録を終了するか否かを判別する（ステップＳ２）。登録を終了する場合（ステップＳ２；ＹＥＳ）、ＣＰＵ１１は後述のステップＳ９の処理に進む。登録を終了しない場合（ステップＳ２；ＮＯ）、ＣＰＵ１１はユーザにより選択された項目がメモリ番号か否かを判別する（ステップＳ３）。【００４６】
ユーザにより選択された項目がメモリ番号の場合（ステップＳ３；ＹＥＳ）、ＣＰＵ１１は表示制御部２２にメモリ番号入力画面２０２を表示させ、メモリ番号の入力をユーザから受け付ける（ステップＳ４）。その他の項目の場合（ステップＳ３；ＮＯ）、ＣＰＵ１１は各項目に対応する所定の処理を行う（ステップＳ８）。処理を行った後、ＣＰＵ１１は再度、項目選択に戻る（ステップＳ１）。【００４７】
ステップＳ４で、ユーザによって入力されたメモリ番号が０〜９か否かを判別する（ステップＳ５）。０〜９のいずれかの場合（ステップＳ５；ＹＥＳ）、ＣＰＵ１１は短縮ダイヤルの入力と判断し、表示制御部２２に短縮ダイヤルベアラ選択画面２０３を表示させ、ベアラの選択入力をユーザから受け付ける（ステップＳ６）。短縮ダイヤルベアラ選択画面２０３では、
（ベアラパターン１）電波状態によって自動的に発呼ベアラを選択する“自動発呼ベアラ選択”、
（ベアラパターン２）携帯電話通信を使って発呼する“携帯電話”、
（ベアラパターン３）無線ＬＡＮ通信を使って発呼する“無線ＬＡＮ”、
のうちのいずれかがユーザによって選択される。【００４８】
次に、ＣＰＵ１１は、表示制御部２２に短縮ダイヤル番号選択画面２０４を表示させ、発信先の電話番号又はＳＩＰアドレスを指定する選択入力をユーザから受け付ける（ステップＳ７）。短縮ダイヤル番号選択画面２０４では、
（番号パターン１）携帯電話通信であれば電話番号を用いて発信し、無線ＬＡＮ通信であればＳＩＰアドレスを用いて発信する、“ベアラ依存”、
（番号パターン２）必ず電話番号を用いて発信する“電話番号固定”、
（番号パターン３）必ずＳＩＰアドレスを用いて発信する“ＳＩＰアドレス固定”、
のうちいずれかがユーザによって選択される。【００４９】
ＣＰＵ１１は、ステップＳ１で入力されたメモリ番号と、ステップＳ６で選択されたベアラを指定する情報と、ステップＳ７で選択された番号パターンを指定する情報とを、作業用メモリ１９に一時的に格納しておく。【００５０】
ステップＳ２において、電話帳への登録を終了すると判別された場合（ステップＳ２；ＹＥＳ）、ＣＰＵ１１は、電話帳の項目のどれかをユーザが変更していた場合、作業用メモリ１９に一時的に格納した値で、電話帳用メモリ１２に格納されている電話帳リスト１０１と電話帳データ１０２、短縮ダイヤル用メモリ１３に格納されている短縮ダイヤル選択情報１０３をそれぞれ更新する（ステップＳ９）。そして、ＣＰＵ１１は、追加あるいは更新された項目のメモリ番号が０〜９だった場合、短縮ダイヤル選択情報用メモリ１３に、追加あるいは更新された項目のデータを格納し（ステップＳ１０）、電話帳登録処理を終了する。【００５１】
このように、キー入力部２０は、発信先情報（例えば電話番号やＳＩＰアドレス）と、発信に用いるベアラを示す情報（ベアラ情報）と、短縮ダイヤルに用いる操作キー２１を指定する情報との入力をユーザから受け付ける登録入力受付部として機能する。そして、ＣＰＵ１１は、受け付けた送信先情報とベアラ情報と操作キー２１を指定する情報とを対応付けて短縮ダイヤル用メモリ１３に記憶させる登録部として機能する。【００５２】
（発呼処理）
続いて、図４を参照して発呼処理について説明する。【００５３】
本実施形態の携帯電話機１は、携帯電話に加えて、無線ＬＡＮを使ったＶｏＩＰ電話も備えている。そのため、ＣＰＵ１１は、以下に説明するように、どちらのベアラで発呼するかを選択する。【００５４】
まず、ＣＰＵ１１は、発信先の電話番号又はＳＩＰアドレスの入力と、発呼の指示入力とをユーザから受け付ける（ステップＳ１１）。発呼の際、ユーザは、操作キー２１（例えばテンキー）を使って、電話番号又は短縮ダイヤルのメモリ番号を入力し、次に発呼キーを押下する。【００５５】
ＣＰＵ１１は、ステップＳ１１で入力されたキーが、０から９までのいずれかのキーか否かを判別する（ステップＳ１２）。入力されたキーが０〜９のいずれかのキーであった場合（ステップＳ１２；ＹＥＳ）、ＣＰＵ１１は、入力されたキーに対応する番号をメモリ番号として扱い、そのメモリ番号に対応付けられた電話帳データ１０２が登録されているか否かを判別する（ステップＳ１３）。【００５６】
なお、ＣＰＵ１１は、ステップＳ１１で０〜９のキーが複数回押下された場合、最初に押下されたキーに対応する番号をメモリ番号として扱う。
あるいは、ＣＰＵ１１は、０〜９のキーが１回押下された場合、押下されたキーに対応する番号をメモリ番号として扱い、２回以上押下された場合、短縮ダイヤルでない電話番号又はＳＩＰアドレスの入力として扱ってもよい。【００５７】
入力されたメモリ番号に対応付けて電話帳データが登録されている場合（ステップＳ１３；ＹＥＳ）、ＣＰＵ１１は、メモリ番号に対応付けて短縮ダイヤル選択情報１０３に記録されているベアラ種別を読み出し、発呼するベアラを決定する。“自動発呼ベアラ選択”の場合、ＣＰＵ１１は、図６に示すベアラテーブル２５０の内容にしたがって発呼するベアラを決定する（ステップＳ１４）。【００５８】
次に、ＣＰＵ１１は、短縮ダイヤル選択情報１０３から電話番号またはＳＩＰアドレスを読み出して、発信先の電話番号又はＳＩＰアドレスとする（ステップＳ１５）。そして、ＣＰＵ１１は、携帯電話送受信部１４を制御して発信先の電話番号に発呼するか、あるいは、無線ＬＡＮ送受信部１５を制御して発信先のＳＩＰアドレスに発呼する（ステップＳ１６）。発信先の電話機と回線が接続された後、ユーザは通話する。終話キーを押下するなどして通話が終わると、ＣＰＵ１１は、携帯電話送受信部１４または無線ＬＡＮ送受信部１５を制御して回線を切断し（ステップＳ１７）、発呼処理を終了する。【００５９】
ステップＳ１２において、入力された番号が０〜９以外である場合（ステップＳ１２；ＮＯ）、ＣＰＵ１１は、入力された番号を短縮ダイヤルでない電話番号又はＳＩＰアドレスと判断し（ステップＳ１８）、ユーザによって指定されたベアラで発呼する（ステップＳ１６）。通話が終了すれば、回線を切断し（ステップＳ１７）、発呼処理を終了する。【００６０】
ステップＳ１３において、入力されたメモリ番号に電話帳データ１０２が登録されていない場合（ステップＳ１３；ＮＯ）、ＣＰＵ１１は、表示制御部２２を制御して、電話番号又はＳＩＰアドレスが登録されていない旨を示すエラー表示を画面に表示させ（ステップＳ１９）、発呼処理を終了する。【００６１】
次に、表示部２３に表示される画面の構成例について、図５を用いて説明する。
図５は、電話帳登録画面２０１、メモリ番号入力画面２０２、短縮ダイヤルベアラ選択画面２０３、短縮ダイヤル番号選択画面２０４の構成例である。電話帳登録画面２０１でユーザによりメモリ番号が選択されると、メモリ番号入力画面２０２に移行する。このメモリ番号入力画面２０２で０〜９までの番号が入力された場合には、短縮ダイヤルベアラ選択画面２０３へ、そうでない場合には電話帳登録画面２０１に戻る。【００６２】
短縮ダイヤルベアラ選択画面２０３では、上述の３つのベアラパターンのうちいずれか１つがユーザによって選択される。例えば、ユーザは、上下のカーソルキーを押下し、選択された部分（本図の各画面中の矩形の枠）を動かして、いずれか１つのベアラパターンを選択する。【００６３】
短縮ダイヤル番号選択画面２０４では、上述の３つの番号パターンが表示され、ベアラ依存、電話番号固定、ＳＩＰアドレス固定の３つのうちいずれか１つがユーザによって選択される。【００６４】
このように、本実施形態によれば、短縮ダイヤルが使用可能なメモリ番号（０〜９）に対応付けて、発呼に用いるベアラと、相手の電話番号又はＳＩＰアドレスとを予め指定できるので、ユーザはベアラをその都度指定する手間が省ける。また、ユーザは電話番号を用いるかＳＩＰアドレスを用いるかを指定しなくてもよいので、例えばツータッチダイヤルなどの短縮ダイヤルをより使いやすくなる。【００６５】
尚、本実施形態では、操作キーのうち０〜９までのキー（テンキー）を短縮ダイヤル用に対応付けるため、短縮ダイヤル用にメモリ番号０〜９を使っている。しかし、さらに短縮ダイヤル用として使える他のキーがある場合には、１０個以上の短縮ダイヤルが登録できる構成としてもよい。勿論、０〜９のすべてのキーを使用しなくてもよい。【００６６】
また、本実施形態では、電話帳データ１０２に電話番号とＳＩＰアドレスとを１つずつ登録できるものとして説明したが、複数の電話番号及び／又はＳＩＰアドレスを登録できる仕様としてもよい。例えば、短縮ダイヤル番号選択画面２０４で、何番目に登録された電話番号（あるいはＳＩＰアドレス）を短縮ダイヤル用に設定するかを指定できるようにしてもよい。【００６７】
そのほか、ユーザが“自動発呼ベアラ選択”を選択していても、既に通信モードで指定したベアラと異なるベアラで発呼しようとした場合には、ポップアップ画面等を表示してユーザに確認することで、より確実にユーザに発信に用いるベアラを認知させることができる。これにより、間違って異なるベアラを使用してしまうことを防ぐことができる。【００６８】
また、電話帳リスト１０１と電話帳データ１０２と短縮ダイヤル選択情報１０３を、着脱可能なフラッシュメモリカードなどの他の情報記録媒体にエクスポートしたり、反対に他の情報記録媒体からインポートしたりできるようにすることで、データのバックアップを確実に行うことができる。【００６９】
本実施形態では、ユーザがＳＩＰアドレスのうちドメイン名に相当する部分の入力をしなくても、ＣＰＵ１１が所定のドメイン名を補完してＳＩＰアドレスを生成できる。補完されるドメイン名は、例えばＲＯＭ１８や別途備えるフラッシュメモリ等に予め記憶される。そのため、ユーザは、ＳＩＰアドレスを入力する手間を省くことができる。【００７０】
例えば、ユーザは、ＳＩＰアドレスのユーザ名に相当する部分に、電話番号のように数字のみを用いることも可能である。この場合、電話帳データ１０２の電話番号とＳＩＰアドレスの各項目には、数字のみが用いられることになる。そのため、電話帳データ１０２において、電話番号とＳＩＰアドレスを明確に区別して格納する必要は実質的になくなり、電話番号とＳＩＰアドレスの管理を単純化することができる。電話帳データ１０２は、携帯電話通信用の電話番号と、無線ＬＡＮ通信用のＳＩＰアドレスのどちらにも使用できる、数字のみを用いた番号を格納すればよい。例えば、電話番号とＳＩＰアドレスのユーザ名とに同一の番号を用いれば、ユーザは、１つの共通の番号を登録するだけで、携帯電話通信と無線ＬＡＮ通信を容易に使い分けることができる。【００７１】
本実施形態では、携帯電話通信と無線ＬＡＮ通信の２つの通信手段を備える携帯電話機１を用いて説明したが、通信手段の種類はこれらに限定されない。また、携帯電話機１は、２つの携帯電話回線、あるいは、２つの無線ＬＡＮ通信が使用できる構成でもよい。さらには、３つ以上の通信手段を備えていてもよい。【００７２】
以上、実施形態を参照して本願発明を説明したが、本願発明には上記実施形態に限定されるものではない。本願発明の構成や詳細には、本願発明のスコープ内で当業者が理解し得る様々な変更をすることができる。【００７３】
この出願は、２００６年９月２７日に出願された日本出願特願２００６−２６１６１１を基礎とする優先権を主張し、その開示の全てをここに取り込む。
【産業上の利用可能性】
【００７４】
本発明は、上記の実施形態で用いた携帯電話機以外に、複数の通信手段が選択可能なＰＨＳ（Personal Handyphone System）、ＰＤＡ（Personal Digital Assistants）等の携帯端末装置にも適用可能である。また、複数の通信手段が選択可能な固定電話装置、パーソナルコンピュータ等にも適用可能である。
【図１】
2008038489.tif 000003
【図２】
2008038489.tif 000004
【図３】
2008038489.tif 000005
【図４】
2008038489.tif 000006
【図５】
2008038489.tif 000007
【図６】
2008038489.tif 000008
【国際調査報告】
2008038489.tif 000009
2008038489.tif 000010
2008038489.tif 000011
2008038489.tif 000012
2008038489.tif 000013
2008038489.tif 000014